(57)【要約】【課題】赤ちゃんに不快感を与えることなく、また、赤ちゃんが位置ずれを起こさないようにしっかりサポートすることを可能とするウエストバッグを提供する。【解決手段】赤ちゃん載置面１１０Ａは、赤ちゃんを載せた状態において、赤ちゃんの股間部の形状に沿うように、赤ちゃん載置面１１０Ａの左右部分が、下方に向かって傾斜する凸面形状１１０を有する。また、赤ちゃんの前後方向への移動を制限するため、横方向から見た場合に、赤ちゃん載置面１１０Ａの前後部分１１２ａ，１１２ｂが上方に向かって突出する凹面形状１１２を有する。【選択図】　　　　図２
2004008431.tif 000002
【特許請求の範囲】
【請求項１】
ウエストバッグ本体と、
前記ウエストバッグ本体を使用者に装着するためのウエストベルトと、
前記ウエストバッグ本体の上に赤ちゃんを載置し、該赤ちゃんをサポートするための赤ちゃんサポートベルトと、を備えるウエストバッグであって、
前記ウエストバッグ本体の赤ちゃんの載置面には、前記赤ちゃんの股間領域を受け入れるための赤ちゃん保持座面が設けられる、ウエストバッグ。
【請求項２】
前記赤ちゃん保持座面は、前記載置面に赤ちゃんを載せた状態において、赤ちゃんの股間部の形状に沿うように、前記載置面の左右部分が、下方に向かって傾斜する凸面形状を有する、請求項１に記載のウエストバッグ。
【請求項３】
前記赤ちゃん保持座面は、前記載置面に赤ちゃんを載せた状態において、赤ちゃんの前後方向への移動を制限するため、横方向から見た場合に、前記載置面の前後部分が、上方に向かって突出する凹面形状を有する、請求項１または２に記載のウエストバッグ。
【発明の詳細な説明】
【０００１】
【発明の属する技術分野】
この発明は、ウエストバッグに関し、より特定的には、赤ちゃんを確実にサポートすることのできるウエストバッグの載置面の構造に関する。
【０００２】
【従来の技術】
赤ちゃんを保持する機能を有するウエストバッグには、様々な形態の商品が開発されている。たとえば、特開平１０−３１３９２９号公報に開示されるベビーホルダー兼用のウエストバッグ等が挙げられる。
【０００３】
【発明が解決しようとする課題】
従来の赤ちゃんをサポートすることができるウエストバッグにおいては、赤ちゃんを載置する載置面には、クッション部材等が配置されることにより、赤ちゃんに不快感を与えないような工夫がなされている。しかし、当該載置面は平らに設けられているため、赤ちゃんは股間を大きく広げる必要がある。また、親が歩きながら赤ちゃんをサポートする場合には、載置面上において赤ちゃんは前後左右に大きく揺すられることにより、赤ちゃんが載置面からずれてしまうおそれもある。
【０００４】
したがって、この発明の目的は、赤ちゃんをサポートするためのウエストバッグにおいて、赤ちゃんに不快感を与えることなく、また、赤ちゃんが位置ずれを起こさないようにしっかりサポートすることを可能とするウエストバッグを提供することにある。
【０００５】
【課題を解決するための手段】
この発明に基いたウエストバッグにおいては、ウエストバッグ本体と、上記ウエストバッグ本体を使用者に装着するためのウエストベルトと、上記ウエストバッグ本体の上に赤ちゃんを載置し、該赤ちゃんをサポートするための赤ちゃんサポートベルトと、を備えるウエストバッグであって、上記ウエストバッグ本体の赤ちゃんの載置面には、上記赤ちゃんの股間領域を受け入れるための赤ちゃん保持座面が設けられる。
【０００６】
また、好ましい形態として、上記赤ちゃん保持座面は、上記載置面に赤ちゃんを載せた状態において、赤ちゃんの股間部の形状に沿うように、上記載置面の左右部分が、下方に向かって傾斜する凸面形状を有する。
【０００７】
この構成により、載置面が赤ちゃんの股間部の形状に沿うことから、赤ちゃんの股間を大きく開ける必要がなくなり、赤ちゃんに不快感を与えることなく、赤ちゃんをサポートすることが可能になる。
【０００８】
また、他の好ましい形態として、上記赤ちゃん保持座面は、上記載置面に赤ちゃんを載せた状態において、赤ちゃんの前後方向への移動を制限するため、横方向から見た場合に、上記載置面の前後部分が上方に向かって突出する凹面形状を有する。
【０００９】
このように、赤ちゃん保持座面を横方向から見た場合に凹面形状となるように設けることで、赤ちゃんの下腹部側および背中下方部側が、載置面によってサポートされるため、赤ちゃんの前後方向への移動を制限することが可能になる。その結果、赤ちゃんを安定的にサポートすることが可能になる。
【００１０】
【発明の実施の形態】
以下、この発明に基づいたウエストバッグの実施の形態について、図１から図４を参照して説明する。なお、図１は本実施の形態におけるウエストバッグ１００の全体構成を示す斜視図であり、図２はウエストバッグ本体１０１の構造を示す斜視図であり、図３は図２中ＩＩＩ−ＩＩＩ線矢視断面図であり、図４は図２中ＩＶ−ＩＶ線矢視断面図である。
【００１１】
（ウエストバッグ１００）
まず、図１を参照して、本実施の形態におけるウエストバッグ１００は、ウエストバッグ本体１０１と、このウエストバッグ本体１０１を使用者１に装着するためのウエストベルト１０２と、使用者１の肩に掛止するための肩掛ベルト１０４と、ウエストバッグ本体１０１および肩掛ベルト１０４に連結される赤ちゃんキャリア１０３と、肩掛ベルト１０４に係止され、赤ちゃん２００の落下を防止するための赤ちゃん保持ベルト１０５とを備える。また、ウエストバッグ本体１の上面部には、クッション部材等からなり、赤ちゃん２００の股間領域を受け入れるための赤ちゃん載置面１１０Ａが設けられている。
【００１２】
（赤ちゃん載置面１１０Ａ）
次に、この赤ちゃん載置面１１０Ａの詳細構造について、図２から図４を参照して説明する。まず、赤ちゃん載置面１１０Ａは、赤ちゃん２００を載せた状態において、赤ちゃん２００の股間部の形状に沿うように、赤ちゃん載置面１１０Ａの左右部分が、下方に向かって傾斜する凸面形状１１０を有する。このようの、凸面形状１１０にすることによって、赤ちゃん２００の股間を大きく開ける必要がなくなり、赤ちゃんに不快感を与えることなく、赤ちゃん２００をサポートすることが可能になる。
【００１３】
また、赤ちゃん載置面１１０Ａは、赤ちゃん２００を載せた状態において、赤ちゃん２００の前後方向への移動を制限するため、横方向から見た場合に、赤ちゃん載置面１１０Ａの前後部分１１２ａ，１１２ｂが上方に向かって突出する凹面形状１１２を有する。
【００１４】
このように、凹面形状１１２となるように設けることで、赤ちゃん２００の下腹部側および背中下方部側が、赤ちゃん載置面１１０Ａによってサポートされるため、赤ちゃん２００の前後方向への移動を制限することが可能になる。その結果、赤ちゃんを安定的にサポートすることが可能になる。
【００１５】
（作用・効果）
以上、上記構成からなるウエストバッグによれば、赤ちゃん２００の赤ちゃん載置面１１０Ａでのずれを防止することができるとともに、赤ちゃん２００の股間を大きく広げることなく、赤ちゃん２００をサポートすることが可能になる。その結果、赤ちゃん２００を不安にさせることなく、赤ちゃん２００の気持ちを安定させた状態で、ウエストバッグを使用することが可能になる。
【００１６】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【００１７】
【発明の効果】
この発明に基いたウエストバッグによれば、親、赤ちゃんともに心を安定させた状態で、ウエストバッグを使用することが可能になり、やさしい気持ちでの親子の心の触れ合いを促すことが可能になる。
【図面の簡単な説明】
【図１】この発明に基いた実施の形態におけるウエストバッグ１００の構造を示す全体斜視図である。
【図２】この発明に基いた実施の形態におけるウエストバッグ本体１０１の構造を示す斜視図である。
【図３】図２中ＩＩＩ−ＩＩＩ線矢視断面図である。
【図４】図２中ＩＶ−ＩＶ線矢視断面図である。
【符号の説明】
１　使用者（親）、１００　ウエストバッグ、１０１　ウエストバッグ本体、１０２　ウエストベルト、１０３　赤ちゃんキャリア、１０４　肩掛ベルト、１０５　赤ちゃん保持ベルト、１１０Ａ　赤ちゃん載置面、１１０　凸面形状、１１２　凹面形状、１１２ａ　前部分、１１２ｂ　後部分、２００　赤ちゃん。
【図１】
2004008431.tif 000003
【図２】
2004008431.tif 000004
【図３】
2004008431.tif 000005
【図４】
2004008431.tif 000006